(57)【特許請求の範囲】
【請求項１】
リール本体に装着した電動機器への電源からの連続通電時間を計測する計測手段と、
上記電動機器への所定の連続通電時間を、釣行回数１回とみなす連続動作条件として記憶する記憶手段と、
リール本体に装着した表示部と、
これらを制御する制御手段とを備え、
制御手段は、上記計測手段の計測結果が上記連続動作条件に合致したと判定したとき、上記記憶手段に釣行回数１回としてこれを累積，記憶させると共に、釣行回数の累積値を上記表示器に表示させることを特徴とする魚釣用リール。
【発明の詳細な説明】
【０００１】
【発明の属する技術分野】
本発明は、タイムリーなメンテナンスを可能とした魚釣用リールに関する。
【０００２】
【従来の技術】
魚釣用リールを長期に亘って使用していくと、スプール駆動系の軸受部の摩耗や潤滑油の劣化，リール本体に装着した電装部品の性能低下や寿命等の影響で性能が次第に低下していくため、内部の清掃や注油，部品の交換等の適切なメンテナンスを行って性能を維持していくことが必要となる。
【０００３】
そこで、実際の使用状態を検出してメンテナンス時期を釣人に報知可能とした魚釣用リールが、特開平９−４７１９７号公報及び特開平１１−４２０３１号公報等に開示されている。
特開平９−４７１９７号公報に開示された魚釣用リールは、スプールモータの駆動時間やピーク負荷量を計測してこれを記憶手段に累積，記憶し、この累積値が予め設定された限界使用頻度を超えたときに、その旨を報知手段で報知してスプールモータの劣化状態を知らせるようにしたものであり、また、特開平１１−４２０３１号公報に開示された魚釣用リールは、スプールの駆動系が実釣開始とみなす所定動作に達したときに、電動機器への通電時間を計測してこれを記憶手段に累積，記憶し、表示器に表示可能としたものである。
【０００４】
【発明が解決しようとする課題】
しかし乍ら、特開平９−４７１９７号公報に開示された従来例は、上述したようにスプールモータの駆動時間を計測してこれを累積，記憶する構成上、店頭や自宅での性能チェック時のスプールモータの操作時間や糸長計測装置の基礎データを入力する際のモータ駆動時間までもが計測、累積されてしまうため、実釣を通したスプールモータの使用状態を正確に把握できず、魚釣用リールの疲労度を的確に掌握できない欠点があった。
【０００５】
一方、特開平１１−４２０３１号公報に開示された従来例によれば、特開平９−４７１９７号公報の不具合は解決され、実釣時間の総時間は把握できるが、これがどれくらいの釣行回数になるのか分からず、実際の魚釣用リールの疲労度を知るにはその実使用情報が不足しており、タイムリーなメンテナンスが未だ確実に行えない不具合が指摘されていた。
【０００６】
本発明は斯かる実情に鑑み案出されたもので、実釣を通した使用状態を正確に把握することで、タイムリーなメンテナンスの実施判断を可能として、リール本来の機能を長期に亘って維持していくことのできる魚釣用リールを提供することを目的とする。
【０００７】
【課題を解決するための手段】
斯かる目的を達成するため、請求項１に係る魚釣り用リールは、リール本体に装着した電動機器への電源からの連続通電時間を計測する計測手段と、上記電動機器への所定の連続通電時間を、釣行回数１回とみなす連続動作条件として記憶する記憶手段と、リール本体に装着した表示部と、これらを制御する制御手段とを備え、制御手段は、上記計測手段の計測結果が上記連続動作条件に合致したと判定したとき、上記記憶手段に釣行回数１回としてこれを累積，記憶させると共に、釣行回数の累積値を上記表示器に表示させることを特徴とする。
【０００９】
（作用）
請求項１に係る発明によれば、計測手段はリール本体に装着した電動機器への電源からの連続通電時間を計測する。
そして、制御手段は、計測された電動機器への所定の連続通電時間が、釣行回数１回とみなす連続動作条件に合致したと判定したとき、記憶手段に釣行回数１回としてこれを累積，記憶させると共に、釣行回数の累積値を表示器に表示させる。
【００１２】
【発明の実施の形態】
以下、本発明の実施形態を図面に基づき詳細に説明する。
図１は請求項１の一実施形態に係る魚釣用リールを示し、図に於て、１はリール本体３のフレーム、５，７は当該フレーム１の左右に取り付く側板で、両側板５，７間にスプール軸を介してスプール９が回転可能に支持されている。
【００１３】
スプール９は、スプールモータ１１の駆動やハンドル１３の巻取り操作で回転して釣糸が巻回されるようになっており、スプールモータ１１はスプール９前方のフレーム１に一体成形されたモータケース内に収納されている。
そして、側板７の側部前方には、特許第２９７７９７８号公報で開示された魚釣用リールと同様、スプールモータ１１のモータ出力を増減してスプール９の回転速度（釣糸の巻取り速度）を調節するパワーレバー（モータ出力調節体）１５が、ハンドル１３の回転方向と同方向へ操作可能に取り付けられており、図２に示すようにパワーレバー１５は側板７に内蔵されたポテンショメータ１７に連結されている。そして、リール本体３上部の制御ボックス１９に内蔵された後述する制御手段２１は、パワーレバー１５の操作量に応じたパルス信号のデューティ比としてスプールモータ１１への電流通電時間率を可変制御し乍ら、モータ駆動回路２３を介してモータ出力をモータ停止状態から最大値（０〜１００％）まで連続的に駆動制御するようになっている。
【００１４】
また、図１に示すように側板７の側部後方には、当該側板７内に装着したクラッチ機構のクラッチレバー２５が装着されており、当該クラッチレバー２５の操作でクラッチ機構がＯＮ／ＯＦＦに切り換わって、スプール９へのスプールモータ１１やハンドル１３の駆動力が伝達／遮断されるようになっている。
そして、スプール９の一側面にはマグネット２７が装着されると共に、当該マグネット２７の回転軌跡に対向してフレーム１に一対のリードスイッチ２９が装着されており、これらはスプール９の回転方向と回転数を検出する回転数検出手段として機能する。そして、図２に示すようにリードスイッチ２９は、リール本体３上部の側板５，７間に装着された制御ボックス１９内の制御手段２１に接続されている。
【００１５】
制御手段２１はマイクロコンピュータからなり、当該制御手段２１のＲＯＭには、特開平５−１０３５６７号公報で開示された魚釣用リールと同様の糸長計測方法がプログラムされており、制御手段２１は、リードスイッチ２９から出力されるスプール９の正転，逆転の判定信号をＣＰＵに取り込んで釣糸の繰出しか巻取りかを判定すると共に、リードスイッチ２９から取り込むスプール９の回転パルス信号をアップ・ダウンカウンタでカウントして、この計数値を基にＲＡＭに記憶された糸長計算式をＣＰＵで演算実行するようになっている。
【００１６】
そして、図１に示すように制御ボックス１９の操作パネル３１上には表示器３３が装着されており、ＣＰＵは上述した糸長計測値を表示駆動回路３５を介して当該表示器３３に表示させるようになっている。
従って、釣人は斯かる表示値を確認し乍ら、所定の水深に仕掛けを繰り出すことができ、また、表示値を確認し乍ら、ハンドル１３やパワーレバー１５の操作で釣糸を巻上げることができる。
【００１７】
また、操作パネル３１上には、表示器３３に隣接してモード切換えスイッチ３７や底／棚設定スイッチ３９，リセットスイッチ４１が装着されており、図３に示すようにモード切換えスイッチ３７の操作で、制御手段２１は「糸長計測モード（実釣モード）」と「確認モード」に切り換わるようになっている。
即ち、既述したように制御手段２１は、リードスイッチ２９から取り込むスプール９の回転パルス信号をカウントし、この計数値を基に長計算式を演算実行して糸長計測値を表示器３３に表示させるが、図４に示すように表示器３３には、当該糸長計測値を表示する糸長表示部３３ａと底／棚位置からの仕掛けの位置を表示する底／棚カラ表示部３３ｂが設けられている。
【００１８】
そして、糸長計測モードに於て、釣糸（仕掛け）がスプール９から繰り出されると、制御手段２１はリードスイッチ２９からの回転パルス信号を基に釣糸の繰出し量を演算して、この糸長計測値を糸長表示部３３ａに表示する。そして、釣糸が竿先から水面まで繰り出された処で釣人がリセットスイッチ４１を操作すると、図４の如く糸長表示部３３ａの表示値が「０．０」にリセットされるようになっている。
【００１９】
この後、釣人が釣糸を繰り出していくと、図５に示すように糸長計測手段で計測された糸長計測値が糸長表示部３３ａに表示され、そして、釣糸が例えば４２．３ｍ繰り出されて仕掛けが着底した処で底／棚設定スイッチ３９を操作すると、図６に示すように底／棚カラ表示部３３ｂに「０．０」が表示されて底位置が設定され、以後、図７に示すように釣糸の巻取りに伴う底からの仕掛けの位置と水面からの繰出し量が、糸長表示部３３ａと底／棚カラ表示部３３ｂに、夫々、表示されるようになっている。
【００２０】
そして、実釣に際し、図示しない給電コードを介して魚釣用リール４３を外部のバッテリに接続すると、制御手段２１や表示器３３，スプールモータ１１等の電動機器に通電されるが、既述したように従来の魚釣用リールはタイムリーなメンテナンス時期の判断が難しいといった欠点が指摘されていた。
そこで、本実施形態は、制御ボックス１９内に計測手段としてタイマ４５を装着してこれを制御手段２１に接続しており、タイマ４５は、給電コードを介してバッテリから制御手段２１や表示器３３，スプールモータ１１等の電動機器への通電時間を計測して、その計測値を制御手段２１のＣＰＵに入力するように構成されている。
【００２１】
一方、制御手段２１のＲＯＭには、上述した電動機器への所定の連続通電時間を釣行回数１回とみなす連続動作条件として、例えば、
「電動機器への連続通電時間（給電コードを介して魚釣用リール４３がバッテリに接続された連続時間）が３時間以上となった場合、これを釣行１回（５時間連続でも７時間連続でも、３時間以上の連続通電時間の設定条件とみなす）とする。そして、給電コードの外れによる断電時間が１０以内であれば、連続通電とみなす」
旨の連続動作条件が設定，記憶されており、ＣＰＵは、タイマ４５の計測値と当該連続動作条件とを比較して、電動機器への連続通電時間が３時間以上となった場合に、これを釣行回数１回とカウントして制御手段２１のＲＡＭに釣行回数を累積，記憶させるようになっている。
【００２２】
そして、釣人がモード切換えスイッチ３７を操作してＣＰＵを確認モードに切り換えると、図８に示すように表示器３３全体が釣行回数表示部３３ｃに切り換わって、ＣＰＵはＲＡＭに記憶されている釣行回数の累積値（本実施形態では、釣行回数「３」）を当該釣行回数表示部３３ｃに表示させるようになっている。
【００２３】
本実施形態はこのように構成されているから、実釣時に給電コードを介して魚釣用リール４３を外部のバッテリに接続すれば、制御手段２１や表示器３３，スプールモータ１１等の電動機器にバッテリから通電され、そして、ハンドル１３やパワーレバー１５の操作でスプール９に釣糸が巻回されると共に、パワーレバー１５の操作に応じモータ出力が調節され、また、釣糸の繰出しや巻上げに伴い糸長が計測されて、その糸長計測値が糸長表示部３３ａや底／棚カラ表示部３３ｂに表示されることとなる。
【００２４】
また、この実釣時にタイマ４５は、バッテリから制御手段２１や表示器３３等の電動機器への通電時間、即ち、魚釣用リール４３への給電コードの接続時間を計測してこれをＣＰＵに入力し、ＣＰＵはタイマ４５の計測値とＲＡＭに記憶された連続動作条件とを比較する。
そして、電動機器への連続通電時間が３時間以上となった場合、釣行回数１回とカウントして制御手段２１のＲＡＭに釣行回数を累積，記憶させ、釣人がモード切換えスイッチ３７を操作してＣＰＵを確認モードに切り換えると、ＣＰＵは、図８に示すように表示器３３を釣行回数表示部３３ｃに切り換えて、ＲＡＭに記憶されている釣行回数の累積値を当該釣行回数表示部３３ｃに表示させることとなる。
【００２５】
このように本実施形態は、電動機器への所定の連続通電時間を釣行回数に置き換えてこれを累積，記憶すると共に、その累積値を表示器３３に表示させるように構成したので、従来に比し魚釣用リール４３の実使用状態に近い状況を釣人が把握でき、この結果、魚釣用リール４３の疲労度を正確に把握することが可能となってメンテナンスを正確且つタイムリーに行うことができ、リール本来の機能を長期に亘って維持していくことが可能となった。
【００２６】
尚、スプールモータを装着しない所謂手動の魚釣用リールにあってはリール本体に電池電源が内蔵され、そして、操作パネル上に装着されたＯＮ／ＯＦＦスイッチ（電源スイッチ）のＯＮ操作で、糸長計測手段がプログラムされた制御手段や表示器が作動するが、斯かる魚釣用リールにあっては、当該ＯＮ／ＯＦＦスイッチの連続したＯＮ状態を連続通電時間と捉えることで、本発明を適用できるものである。
【００２９】
【発明の効果】
以上述べたように、請求項１に係る発明によれば、電動機器への所定の連続通電時間を釣行回数に置き換えてこれを累積，記憶すると共に、その累積値を表示器に表示させる構成したので、従来に比し魚釣用リールの実使用状態に近い状況を釣人が把握でき、この結果、魚釣用リールの疲労度を正確に把握することが可能となってメンテナンスを正確且つタイムリーに行うことができ、リール本来の機能を長期に亘って維持していくことが可能となった。
【図面の簡単な説明】
【図１】  請求項１の一実施形態に用いる魚釣用リールの平面図である。
【図２】図１に示す魚釣用リールの制御ブロック図である。
【図３】モード切換えスイッチの操作による制御手段のモード切換え状態を示すフローチャートである。
【図４】表示器の糸長表示部の表示状態の説明図である。
【図５】表示器の糸長表示部の表示状態の説明図である。
【図６】表示器の糸長表示部と底／棚カラ表示部の表示状態の説明図である。
【図７】表示器の糸長表示部と底／棚カラ表示部の表示状態の説明図である。
【図８】表示器の釣行回数表示部の表示状態の説明図である。
【符号の説明】
３  リール本体
９  スプール
１１  スプールモータ
１５  パワーレバー
２１  制御手段
２９  リードスイッチ
３１  操作パネル
３３  表示器
３３ａ  糸長表示部
３３ｂ  底／棚カラ表示部
３３ｃ  釣行回数表示部
３７  モード切換えスイッチ
３９  底／棚設定スイッチ
４１  リセットスイッチ
４３  魚釣用リール
４５  タイマ
【図１】
0003987279.tif 000002
【図２】
0003987279.tif 000003
【図３】
0003987279.tif 000004
【図４】
0003987279.tif 000005
【図５】
0003987279.tif 000006
【図６】
0003987279.tif 000007
【図７】
0003987279.tif 000008
【図８】
0003987279.tif 000009